(57)【要約】【課題】欄干パネル固定用ブラケットをトラスに固定する固定作業の手間を軽減できる固定用ブラケットの位置決め治具を提供する。【解決手段】トラス１０に仮設可能に構成された本体部７２と、本体部７２から上弦材２６の方へ延びるとともに、固定用ブラケット６０を位置決めする位置決め部８０が設けられたアーム７６と、を備え、アーム７６は、本体部７２をトラス１０内に仮設した状態で、位置決め部８０に固定用ブラケット６０を押し当てることにより予め設定された固定位置に固定用ブラケット６０を位置決め可能に構成されている。【選択図】図３
2020138836.tif 000002
【特許請求の範囲】
【請求項１】
乗客コンベア用トラスに欄干パネルを立設状態で固定する欄干パネル固定用ブラケットを前記トラスに取り付けるときに、前記欄干パネル固定用ブラケットを位置決めするための治具であって、
前記トラス内に仮設可能に構成された本体部と、
前記本体部から前記上弦材の方へ延出するとともに、前記欄干パネル固定用ブラケットを位置決めする位置決め部が設けられたアームと、
を備え、
前記アームは、前記本体部を前記トラス内に仮設した状態で、前記位置決め部に前記欄干パネル固定用ブラケットを押し当てることにより予め設定された固定位置に前記欄干パネル固定用ブラケットを位置決め可能に構成されている、
欄干パネル固定用ブラケットの位置決め治具。
【請求項２】
前記本体部は、前記トラス内に設けられた走行路に沿って走行可能に構成されている、
請求項１に記載の欄干パネル固定用ブラケットの位置決め治具。
【発明の詳細な説明】
【技術分野】
【０００１】
本発明は、乗客コンベアに関し、特に、欄干パネル固定用パネルの位置決め治具に関する。
【背景技術】
【０００２】
乗客コンベアは、上階側乗降口と下階側乗降口との間を循環走行する踏段の両側に、踏段の走行方向に沿って列設されてなる複数の欄干パネルを構成部材とする欄干を有する。これらの欄干パネルはガラスなどの部材によって構成されており、トラスの上弦材に取り付けられた欄干パネル固定用ブラケット（以下、「固定用ブラケット」）により各々下端部を挟持されている。
【０００３】
例えば、特許文献１には、欄干パネルの下端部を挟持可能に構成された受け部材（固定用ブラケット）がＬ形アングルを介してトラスにボルト固定されてなる支持構造が開示されている（図８参照）。
【０００４】
また、欄干を構成する各欄干パネルは、隣接するパネル同士の間において幅方向や上下方向に許容値以上のずれが生じないよう一列に連ねて各々設置する必要がある。このため、固定用ブラケットは、欄干パネルを適切な位置で支持する必要があり、予め設定された固定位置に設置固定しておく必要がある。
【０００５】
この固定用ブラケットを上弦材に固定する際、幅方向および上下方向の固定位置の基準となるようにピアノ線などの線材を各々トラス上に予め張架しておき、これらの線材を利用して固定作業が実施される。
【先行技術文献】
【特許文献】
【０００６】
【特許文献１】特開２０１７−８８３３７号公報
【発明の概要】
【発明が解決しようとする課題】
【０００７】
しかしながら、上記固定用ブラケットの固定方法では、ピアノ線などの線材をトラス上に予め張架しておく必要があり固定作業に手間を要するという問題がある。また、作業者は固定用ブラケットを手のみで保持しつつトラスに固定する必要がある。このため、固定作業中に固定用ブラケットが位置決めした固定位置からずれやすく、予め設定した固定位置に固定用ブラケットを固定するのに手間を要するという問題もある。
【０００８】
本発明では、欄干パネル固定用ブラケットをトラスに固定する固定作業の手間を軽減できる固定用ブラケットの位置決め治具を提供することを目的とする。
【課題を解決するための手段】
【０００９】
本発明の欄干パネル固定用ブラケットの位置決め治具は、乗客コンベア用トラスに欄干パネルを立設状態で固定する欄干パネル固定用ブラケットをトラスに取り付けるときに、欄干パネル固定用ブラケットを位置決めするための治具であって、トラス内に仮設可能に構成された本体部と、本体部から上弦材の方へ延出するとともに、欄干パネル固定用ブラケットを位置決めする位置決め部が設けられたアームと、を備え、アームは、本体部をトラス内に仮設した状態で、位置決め部に欄干パネル固定用ブラケットを押し当てることにより予め設定された固定位置に欄干パネル固定用ブラケットを位置決め可能に構成されている。
【００１０】
本発明の欄干パネル固定用ブラケットの位置決め治具において、本体部は、トラス内に設けられた走行路に沿って走行可能に構成されてもよい。
【発明の効果】
【００１１】
本発明の欄干パネル固定用ブラケットの位置決め治具によれば、トラス内に仮設した状態で位置決め部に欄干パネル固定用ブラケットを押し当てることにより、同ブラケットを予め設定されている固定位置に位置決めすることができる。これにより、予め設定された固定位置に欄干パネル固定用ブラケットを位置決めした状態で保持しつつ固定作業を実施できるので、固定作業中に固定用ブラケットが予め設定された固定位置からずれ難く固定作業をスムーズに行うことができる。また、ピアノ線などの線材をトラス上に予め張架する手間を要することなく欄干パネル固定用ブラケットの固定作業を実施できる。この結果、固定用ブラケットをトラスに固定する固定作業の手間を軽減できる。
【図面の簡単な説明】
【００１２】
【図１】図１（ａ）は、本発明の一実施形態である位置決め治具が適用されるトラスを作業台に仮置きした状態を示す図である。図１（ｂ）は、図１（ａ）に示すＡ−Ａ線で切断したときの断面構成図と、同図に示すガイドレール周辺の部分拡大図および固定用ブラケットの部分拡大図をともに示す図である。図１（ｃ）は、図１（ｂ）に示すＢ方向から見たときの固定用ブラケットの取り付け状態を示す部分拡大図である。
【図２】図２（ａ）は、位置決め治具の前面側の構成図と同図に含まれる位置決め部の部分拡大図である。図２（ｂ）は、位置決め治具の側面図である。図２（ｃ）は、図２（ａ）に示すＣ−Ｃ線で切断したときの位置決め治具底部の構成を示す図である。図２（ｄ）は、図２（ａ）に示すＤ方向から見たときの位置決め部の構成を示す図である。
【図３】図３（ａ）は、トラスのガイドレールに位置決め治具を仮設するときの様子を模式的に示す図である。図３（ｂ）は、固定用ブラケットを位置決め治具を用いて位置決めしつつトラスの上弦材に取り付けるときの様子を示す図である。
【発明を実施するための形態】
【００１３】
本発明の乗客コンベアの一実施形態について図面を参照しながら説明する。図中に示す「Ｘ」は上面視におけるトラス長手方向と略平行な水平方向を、「Ｙ」は床面に直交する上下方向を、「Ｚ」は水平方向Ｘおよび上下方向Ｙに各々直交する幅方向を示す。図１（ａ）は、本発明の一実施形態である欄干パネル固定用ブラケットの位置決め治具が適用される乗客コンベア用トラス（以下、単に「トラス」と表現する）１０を示す図である。
【００１４】
図１（ａ）に示すように、トラス１０は、据付時に上階側乗降口および下階側乗降口を各々構成する両端部１２，１４と、両端部の間に形成された傾斜部１６から構成されるトラス構造やはり構造などからなる構造体である。トラス１０は、傾斜部１６を作業台１８に載置することで傾斜部１６を略水平状態として仮置きされ、この仮置状態で後述する固定用ブラケット６０などの部材の取付作業が実施される。ここで、図１（ｂ）を用いてトラス１０の概略構成について説明する。
【００１５】
図１（ｂ）は、図１（ａ）に示すＣ−Ｃ線で切断したときのトラス１０の断面構成を示す図である。なお、図１（ｂ）において、煩雑な図示となることを避けるため一部の断面ハッチングを省略して示している。図１（ｂ）に示すように、トラス１０は、幅方向Ｚにおける両端側に束材２２，２４が各々配置されている。ここで、束材２２は、束材２４とその周辺構成を含め同一の構成を備えるため、以下の説明では主に束材２４およびその周辺構成についてのみ説明を行い、束材２２およびその周辺構成については適宜説明を省略する。
【００１６】
束材２４の上下両端には各々アングル材からなる上弦材２６および下弦材２８が取り付けられており、束材２４の長手方向に沿って支持プレート２４ａが取り付けられている。この支持プレート２４ａは、往路側走行路の一部を構成するガイドレール３６と、帰路側走行路の一部を各々構成するガイドレール３７ａ，３７ｂとを支持している。ガイドレール３６は支持プレート２４ａの上部に取り付けられており、図１（ｂ）に1点鎖線で示すように踏段４０に取り付けられた駆動ローラ４２が走行する上段側走行路３６ａが外側に、踏段４０に軸支された従動ローラ４４が走行する下段側走行路３６ｂが内側に設けられている。
【００１７】
また、図１（ａ）示すように、トラス１０の上弦材２６には、長手方向に沿って予め設定された固定位置ごとにＬ形アングル５２−１，５２−２，５２−３，…，が取り付けられている。ここで、Ｌ形アングル５２−１，５２−２，５２−３，…，の構成はいずれも同一であるため、以下の説明において特に区別する必要が無い場合はハイフン以下の符号を省略してＬ形アングル「５２」と表記する。
【００１８】
ここで、図１（ｃ）は、同図（ｂ）において、Ｂ方向から見たときの固定用ブラケット６０をＬ形アングル５２に取り付けた状態を示す図である。図１（ｃ）に示すように、Ｌ形アングル５２は、固定用ブラケット６０をトラス１０に固定する役割を有する。そして、図１（ａ）に示すように、一方の辺部に固定用ブラケット６０を固定するためのねじ孔５２ａ，５２ｂが設けられており、他方の辺部に上述した上弦材２６に固定するための長孔５２ｃ，５２ｄが設けられている。そして、Ｌ形アングル５２の長孔５２ｃ，５２ｄに各々挿通されたボルトＢＴ１，ＢＴ２を上弦材２６の貫通孔２６ａ，２６ｂに差し込むとともにナットＮＴ１，ＮＴ２を用いて上弦材２６に仮固定、すなわち、やや緩めに固定した状態で保持される。
【００１９】
また、図１（ｂ）に示すように、固定用ブラケット６０は、欄干パネル（不図示）をトラス１０に立設状態で取り付ける機能を有し、略Ｕ字状の溝６２（図１（ｂ）参照）が切り通すように設けられている。固定用ブラケット６０は、この溝６２に上方から挿し込まれた欄干パネル（不図示）を挟持する機能を有する。図１（ｃ）に示すように、固定用ブラケット６０は、同ブラケット６０の貫通孔６０−１，６０−２（図１（ｂ）参照）に挿し込まれたボルトＢＴ３，ＢＴ４をＬ形アングル５２のねじ孔５２ａ，５２ｂ（図１（ａ）参照）に螺合させることにより上弦材２６に固定されることとなる。
【００２０】
続いて、Ｌ形アングル５２を介して固定用ブラケット６０を上弦材２６の予め設定された固定位置に固定する際に使用する本実施形態の位置決め治具７０について、図２（ａ）〜図２（ｄ）を用いて説明を行う。図２（ａ）は、位置決め治具７０の前面側構成を示す図である。図２（ｂ）は、位置決め治具７０の側面構成を示す図である。図２（ｃ）は、同図（ａ）に示すＣ−Ｃ線で切断したときの位置決め治具７０の断面構成を示す図である。
【００２１】
図２（ａ）〜図２（ｃ）に示すように、位置決め治具７０は、トラス１０内に仮設可能に構成された本体部７２と、本体部７２の上面７２ａに取り付けられた一対のアーム７４，７６とを備える。この本体部７２は、上面視において略長方形状をした台座である。本体部７２は、底部７２ｂにおける両側面に各々配置された側面板７２ｂ−１，７２ｂ−２の前後両端部に走行ローラ７７ａ，７７ｂ，７８ａ，７８ｂが軸支されている。ここで、走行ローラ７７ａ，７８ａの間の距離Ｗは、上述した束材２４側の上段側走行路３６ａと束材２２側の上段側走行路３４ａとの間の距離Ｌ（図１（ｂ）参照）と同等の大きさとなるように構成される。後側の走行ローラ７７ｂ，７８ｂの間の距離も距離Ｗと同じ大きさとなるように構成される。
【００２２】
このため、本体部７２は、側面板７２ｂ−１，７２ｂ−２に各々配置された走行ローラ７７ａ，７７ｂ，７８ａ，７８ｂを各々上段側走行路３４ａ，３６ａに載せて走行可能な状態でトラス１０内に仮設することができる。これにより、Ｌ形アングル５２が上弦材２６に仮固定されている位置までトラス１０内に仮設された位置決め治具７０をスムーズに移動させることができる。
【００２３】
また、図１（ｂ）に示すように、上段側走行路３４ａ，３６ａの外側には各走行路３４ａ，３６ａから逸脱するのを防止するために規制壁３４ａ−１，３６ａ−１が設けられている。このため、位置決め治具７０が上段側走行路３４ａ，３６ａを走行中に各走行ローラ７７ａ，７７ｂ，７８ａ，７８ｂが上段側走行路３４ａ，３６ａから逸脱するのを防止できる。
【００２４】
なお、本実施形態では、走行ローラ７７ａ，７７ｂ，７８ａ，７８ｂを用いて位置決め治具７０を走行可能な状態でトラス１０に仮設しているが、仮設状態で位置決め治具７０を走行させる必要が無い場合は走行ローラ７７ａ〜７８ｂを本体部７２に設けずに上段側走行路３４ａ，３６ａ上に本体部７２を載せて仮設する構成としてもよい。
【００２５】
また、上述したように、前側の走行ローラ７７ａ，７８ａの間の距離Ｗと、後側の走行ローラ７７ｂ，７８ｂの間の距離は、上段側走行路３４ａ，３６ａの距離Ｌ（図１（ｂ）参照）と同等の大きさに各々設定されている。このため、位置決め治具７０は、上段側走行路３４ａ，３６ａに隣接する規制壁３４ａ−１，３６ａ−１との間の隙間が小さい、換言すると、遊びが殆ど無い状態で上段側走行路３４ａ，３６ａの上に仮設されることとなる。従って、位置決め治具７０が上段走行路３４ａ，３６ａの上を走行しても、トラス１０に対する位置決め治具７０の幅方向Ｚにおける位置をほぼ一定の位置に保持することが可能となる。
【００２６】
本実施形態では、規制壁３４ａ−１，３６ａ−１と走行ローラ７７ａ〜７８ｂの隙間が殆ど無い状態で位置決め治具７０をトラス１０内に仮設することで位置決め治具７０の幅方向Ｚにおける位置を一定に保持しているが、走行ローラ７７ａ〜７８ｂにフランジを設け、このフランジをガイドレール内側の端面や側面に係合させつつ走行することで位置決め治具７０の幅方向Ｚにおける位置を一定に保持するようにしてもよい。
【００２７】
一方、トラス１０の傾斜部１６において、上下方向Ｙにおける上段側走行路３４ａ，３６ａの位置は一定の高さとなるように設けられている。このため、上段側走行路３４ａ，３６ａ上を走行する位置決め治具７０によってＬ形アングル５２−１，５２−２，５２−３，…，を介して上弦材２６に固定する固定用ブラケット６０の位置を位置決めすることが可能となる。
【００２８】
図２（ａ）に示すように、アーム７４，７６は、本体部７２の両側面側から外側に突き出すように構成されている。ここで、アーム７４，７６の構成は同一であるため、アーム７６の構成についてのみ以下において説明を行うとともに、アーム７４については説明を省略する。アーム７６は、突出端の下面側に位置決め部８０が設けられている。位置決め部８０は、図２（ｂ）に示すように、アーム７６の下面に取り付けられた上面視略長方形状のプレート８１と、プレート８１の長手方向における両端部から下方に突き出した２本の棒状部材８４，８６から構成される。本実施形態では、２本のアーム７４，７６を本体部７２が備えるが、いずれか一方だけ本体部７２が備える構成でもよい。
【００２９】
ここで、図２（ｄ）は、同図（ａ）に示すＤ方向から見たときの位置決め部８０の構成を示す図である。図２（ｄ）に示すように、２本の棒状部材８４，８６は、幅方向Ｚにおける固定用ブラケット６０の位置を位置決めする機能を有する略円柱状をした部材である。また、両棒状部材８４，８６の中心間距離Ｐは、固定用ブラケット６０の水平方向Ｘにおける長さＱ（図１（ｃ）参照）よりも短くなるように形成されている。このため、固定用ブラケット６０の溝６２に棒状部材８４，８６を挿し込んで溝６２の外側壁面６２ａ（図１（ｂ）参照）に棒状部材８４，８６を押し当てることにより幅方向Ｚにおける固定用ブラケット６０の位置が予め設定された固定位置に位置決めされる。なお、棒状部材８４，８６の代わりにプレートなどを位置決め部材として用いて幅方向Ｚにおける固定用ブラケットの位置決めを行うようにしてもよい。
【００３０】
図２（ｄ）に示すように、プレート８１の４つの角部には、固定用ブラケット６０の上下方向Ｙの固定位置が予め設定された位置となるように位置決めする機能を有するクランピングスクリュー８２ａ，８２ｂ，８２ｃ，８２ｄが各々取り付けられている。以下の説明において、各クランピングスクリュー８２ａ，８２ｂ，８２ｃ，８２ｄは同一構成を備えるため、クランピングスクリュー８２ａについてのみ説明を行うとともにクランピングスクリュー８２ｂ〜８２ｄについては適宜説明を省略する。
【００３１】
図２（ａ）に示すように、クランピングスクリュー８２ａは、回転自在に保持されたボール８２ａ−１がねじ先に取り付けられている。各クランピングスクリュー８２ａ〜８２ｄは、固定用ブラケット６０の溝６２に棒状部材８４，８６を挿し込んだ状態で固定用ブラケット６０の上面６０ａ，６０ｂ（図１（ｂ）参照）が押し当てられることにより上下方向Ｙにおける固定用ブラケット６０の固定位置を予め設定された固定位置に位置決めする機能を有する。なお、本実施形態では、固定用ブラケット６０の上下方向Ｙにおける位置決めにクランピングスクリュー８２ａ〜８２ｄを用いているが、プレート８１から下方に突き出すように構成されるクランピングスクリュー以外のネジなどを用いてもよい。
【００３２】
また、本体部７２の上面７２ａの前端部および後端部の中央には、アイボルト８８ａ，８８ｂが各々取り付けられている。各アイボルト８８ａ，８８ｂは、天井クレーンなどを用いて本体部７２を吊り上げて運搬するためのものである。
【００３３】
続いて、図３（ａ）および図３（ｂ）を用いて位置決め治具７０を用いた固定用ブラケット６０の固定方法について説明する。図３（ａ）は、トラス１０の上段側走行路３４ａ，３６ａに位置決め治具７０を仮設するときの様子を模式的に示す図である。図３（ｂ）は、固定用ブラケット６０を位置決め治具７０を用いて位置決めしつつトラス１０の上弦材２６に固定するときの様子を示す図である。なお、図３（ａ），図３（ｂ）では、煩雑な図示となることを避けるため一部の断面ハッチングを省略して示している。
【００３４】
図３（ａ）に１点鎖線で示すように、天井クレーンに接続された、例えば、２本２点吊りワイヤのうち一方のワイヤ端末に連結されたフック９２を位置決め治具７０のアイボルト８８ａに係合させるとともに、後方のアイボルト８８ｂに他方のワイヤの端末に連結されたフック（不図示）を係合させ、位置決め治具７０を吊り上げる。そして、位置決め治具７０をトラス１０の直上まで運搬する。そして、図３（ａ）に実線で示すように、各走行ローラ７７ａ，７７ｂ，７８ａ，７８ｂがトラス１０内の両側面側に配置された上段側走行路３４ａ，３６ａ上に載るように位置決め治具７０をトラス１０内に降下させる。
【００３５】
次に、トラス１０の上弦材２６に予め仮固定されているＬ形アングル５２に位置決め部８０が隣接する位置まで位置決め治具７０を走行させる。それから、図３（ｂ）に示すように、固定用ブラケット６０のＵ字状をした溝６２の外側壁面６２ａを位置決め部８０の棒状部材８４，８６の双方に押し当てつつ同ブラケット６０の上面６０ａ，６０ｂを各クランピングスクリュー８２ａ〜８２ｄに押し当てた状態で保持する。これにより、固定用ブラケット６０の幅方向Ｚおよび上下方向Ｙにおける位置を予め設定されている固定位置に位置決めできる。
【００３６】
なお、棒状部材８４，８６を溝６２の外側壁面６２ａに押し当てる際、溝６２の内側壁面６２ｂと棒状部材８４，８６の隙間にスペーサなどを挿し込むことで固定用ブラケット６０を位置決め部８０に固定してもよい。この場合には、棒状部材８４，８６および各クランピングスクリュー８２ａ〜８２ｄに押し当てた状態で固定用ブラケット６０を作業者が保持する必要がなく作業性を向上させることができる。
【００３７】
そして、固定用ブラケット６０が予め設定された固定位置に位置決めされた状態で、図３（ｂ）に示すボルトＢＴ３，ＢＴ４を用いて固定用ブラケット６０をＬ形アングル５２に固定しつつ、仮固定されていたＬ形アングル５２のボルトＢＴ１，ＢＴ２（図１（ａ）参照）も締め付けてＬ形アングル５２を上弦材２６に固定する。このようにして、固定用ブラケット６０を位置決めしつつトラス１０に固定できる。次に、反対側の上弦材２７に取り付けられたＬ形アングルにも同様の手順で固定用ブラケットを固定する。それから、水平方向Ｘにおいて、隣接するＬ形アングル５２に近接する位置まで位置決め治具７０を上段側走行路３４ａ，３６ａ上を走行させ、同様の手順で固定用ブラケット６０を予め設定された固定位置に位置決めしつつトラス１０に固定する固定作業を実施する。
【００３８】
本実施形態の位置決め治具７０によれば、トラス１０に仮設した状態で位置決め部８０に固定用ブラケット６０を押し当てることにより、固定用ブラケット６０を予め設定されている固定位置に位置決めすることができる。これにより、予め設定された固定位置に固定用ブラケット６０を位置決めした状態で保持しつつトラス１０に対する固定作業を実施できるので、固定作業中に固定用ブラケット６０が予め設定された固定位置からずれ難く、固定作業をスムーズに行うことができる。また、ピアノ線などの線材をトラス１０の上に予め張架する手間を要することなく固定用ブラケット６０のトラス１０への固定作業を実施できる。この結果、固定用ブラケット６０をトラス１０に固定する固定作業の手間を軽減できる。
【００３９】
本発明は、その趣旨を逸脱しない範囲で当業者の知識に基づいて種々なる改良、修正、又は変形を加えた態様でも実施できる。また、同一の作用又は効果が生じる範囲内で、何れかの発明特定事項を他の技術に置換した形態で実施しても良い。
【符号の説明】
【００４０】
１０    トラス（乗客コンベア用トラス）
３６，３７ａ，３７ｂ    ガイドレール
３４ａ，３６ａ    上段側走行路
３６ｂ    下段側走行路
６０    固定用ブラケット（欄干パネル固定用ブラケット）
７０    位置決め治具
７２    本体部
７４，７６    アーム
７７ａ，７７ｂ，７８ａ，７８ｂ    走行ローラ
８０    位置決め部
８２ａ，８２ｂ，８２ｃ，８２ｄ    クランピングスクリュー
８４，８６    棒状部材
Ｘ    水平方向
Ｙ    上下方向
Ｚ    幅方向
【図１】
2020138836.tif 000003
【図２】
2020138836.tif 000004
【図３】
2020138836.tif 000005